【手続補正書】
【提出日】平成15年10月28日(2003.10.28)
【手続補正１】
【補正対象書類名】明細書
【補正対象項目名】特許請求の範囲
【補正方法】変更
【補正の内容】
【特許請求の範囲】
【請求項１】
データをセクタを単位として記録媒体に記録するデータ記録装置において、
データを前記セクタに対応する大きさに分割する分割手段と、
前記分割手段で分割されたデータの順序を、ブロックの範囲内で置換する置換手段と、
前記置換手段で置換したデータを、前記記録媒体のセクタに順番に記録する記録手段と
を備えることを特徴とするデータ記録装置。
【請求項２】
前記記録手段は、前記置換手段により順序の置換された、前記分割手段で分割されたデータを所定の順番に整列させるための情報も、前記記録媒体の所定の位置に記録する
ことを特徴とする請求項１に記載のデータ記録装置。
【請求項３】
データをセクタを単位として記録媒体に記録するデータ記録方法において、
データを前記セクタに対応する大きさに分割する分割ステップと、
前記分割ステップで分割されたデータの順序を、ブロックの範囲内で置換する置換ステップと、
前記置換ステップで置換したデータを、前記記録媒体のセクタに順番に記録する記録ステップと
を備えることを特徴とするデータ記録方法。
【請求項４】
データをセクタを単位として記録媒体に記録するコンピュータプログラムを伝送する伝送媒体において、
データを前記セクタに対応する大きさに分割する分割ステップと、
前記分割ステップで分割されたデータの順序を、ブロックの範囲内で置換する置換ステップと、
前記置換ステップで置換したデータを、前記記録媒体のセクタに順番に記録する記録ステップと
を備えるコンピュータプログラムを伝送することを特徴とする伝送媒体。
【請求項５】
セクタを単位として記録媒体に記録されているデータを再生するデータ再生装置において、
前記記録媒体からデータを再生する再生手段と、
再生されたデータを、所定の数のセクタ毎に区分する区分手段と、
前記区分手段で区分されたデータを、所定の順番に整列させるための情報に基づいて、セクタを単位として所定の順番に整列する整列手段と
を備えることを特徴とするデータ再生装置。
【請求項６】
前記再生手段は、前記記録媒体から、所定の順番に整列させるための前記情報も再生する
ことを特徴とする請求項５に記載のデータ再生装置。
【請求項７】
セクタを単位として記録媒体に記録されているデータを再生するデータ再生方法において、
前記記録媒体からデータを再生する再生ステップと、
再生されたデータを、所定の数のセクタ毎に区分する区分ステップと、
前記区分ステップで区分されたデータを、所定の順番に整列させるための情報に基づいて、セクタを単位として所定の順番に整列する整列ステップと
を備えることを特徴とするデータ再生方法。
【請求項８】
セクタを単位として記録媒体に記録されているデータを再生するコンピュータプログラムを伝送する伝送媒体において、
前記記録媒体からデータを再生する再生ステップと、
再生されたデータを、所定の数のセクタ毎に区分する区分ステップと、
前記区分ステップで区分されたデータを、所定の順番に整列させるための情報に基づいて、セクタを単位として所定の順番に整列する整列ステップと
を備えるコンピュータプログラムを伝送することを特徴とする伝送媒体。
【手続補正２】
【補正対象書類名】明細書
【補正対象項目名】０００５
【補正方法】変更
【補正の内容】
【０００５】
【課題を解決するための手段】
本発明のデータ記録装置は、データをセクタに対応する大きさに分割する分割手段と、分割手段で分割されたデータの順序を、ブロックの範囲内で置換する置換手段と、置換手段で置換したデータを、記録媒体のセクタに順番に記録する記録手段とを備えることを特徴とする。
前記記録手段は、置換手段により順序の置換された、分割手段で分割されたデータを所定の順番に整列させるための情報も、記録媒体の所定の位置に記録するようにすることができる。
【手続補正３】
【補正対象書類名】明細書
【補正対象項目名】０００６
【補正方法】変更
【補正の内容】
【０００６】
本発明のデータ記録方法は、データをセクタに対応する大きさに分割する分割ステップと、分割ステップで分割されたデータの順序を、ブロックの範囲内で置換する置換ステップと、置換ステップで置換したデータを、記録媒体のセクタに順番に記録する記録ステップとを備えることを特徴とする。


【手続補正４】
【補正対象書類名】明細書
【補正対象項目名】０００７
【補正方法】変更
【補正の内容】
【０００７】
本発明の伝送媒体は、データをセクタに対応する大きさに分割する分割ステップと、分割ステップで分割されたデータの順序を、ブロックの範囲内で置換する置換ステップと、置換ステップで置換したデータを、記録媒体のセクタに順番に記録する記録ステップとを備えるコンピュータプログラムを伝送することを特徴とする。


【手続補正５】
【補正対象書類名】明細書
【補正対象項目名】０００８
【補正方法】変更
【補正の内容】
【０００８】
本発明のデータ再生装置は、記録媒体からデータを再生する再生手段と、再生されたデータを、所定の数のセクタ毎に区分する区分手段と、区分手段で区分されたデータを、所定の順番に整列させるための情報に基づいて、セクタを単位として所定の順番に整列する整列手段とを備えることを特徴とする。
前記再生手段は、記録媒体から、所定の順番に整列させるための情報も再生するようにすることができる。
【手続補正６】
【補正対象書類名】明細書
【補正対象項目名】０００９
【補正方法】変更
【補正の内容】
【０００９】
本発明のデータ再生方法は、記録媒体からデータを再生する再生ステップと、再生されたデータを、所定の数のセクタ毎に区分する区分ステップと、区分ステップで区分されたデータを、所定の順番に整列させるための情報に基づいて、セクタを単位として所定の順番に整列する整列ステップとを備えることを特徴とする。


【手続補正７】
【補正対象書類名】明細書
【補正対象項目名】００１０
【補正方法】変更
【補正の内容】
【００１０】
本発明の伝送媒体は、記録媒体からデータを再生する再生ステップと、再生されたデータを、所定の数のセクタ毎に区分する区分ステップと、区分ステップで区分されたデータを、所定の順番に整列させるための情報に基づいて、セクタを単位として所定の順番に整列する整列ステップとを備えるコンピュータプログラムを伝送することを特徴とする。


【手続補正８】
【補正対象書類名】明細書
【補正対象項目名】００１１
【補正方法】変更
【補正の内容】
【００１１】
本発明のデータ記録装置および方法、並びに伝送媒体のプログラムにおいては、データが、セクタに対応する大きさに分割され、分割されたデータの順序が、ブロックの範囲内で置換され、置換されたデータが、記録媒体のセクタに順番に記録される。


【手続補正９】
【補正対象書類名】明細書
【補正対象項目名】００１２
【補正方法】変更
【補正の内容】
【００１２】
本発明のデータ再生装置および方法、並びに伝送媒体のプログラムにおいては、記録媒体からデータが再生され、再生されたデータが、所定の数のセクタ毎に区分され、区分されたデータが、所定の順番に整列させるための情報に基づいて、セクタを単位として所定の順番に整列される。


【手続補正１０】
【補正対象書類名】明細書
【補正対象項目名】００１４
【補正方法】変更
【補正の内容】
【００１４】
本発明によれば、データ記録装置が提供される。このデータ記録装置は、データをセクタに対応する大きさに分割する分割手段（例えば、図１のセクタ化回路２）と、分割手段で分割されたデータの順序を、ブロックの範囲内で置換する置換手段（例えば、図１のセクタ順序置換回路３）と、置換手段で置換したデータを、記録媒体のセクタに順番に記録する記録手段（例えば、図１の光ピックアップ１１）とを備える。


【手続補正１１】
【補正対象書類名】明細書
【補正対象項目名】００１５
【補正方法】変更
【補正の内容】
【００１５】
また、本発明によれば、データ再生装置が提供される。このデータ再生装置は、セクタを単位として記録媒体に記録されているデータを再生するデータ再生装置において、記録媒体からデータを再生する再生手段（例えば、図４の光ピックアップ２１）と、再生されたデータを、所定の数のセクタ毎に区分する区分手段（例えば、図４のブロック分離回路２６）と、区分手段で区分されたデータを、所定の順番に整列させるための情報（例えば、暗号鍵）に基づいて、セクタを単位として所定の順番に整列する整列手段（例えば、図４のセクタ順序置換回路２９）とを備えることを特徴とする。


【手続補正１２】
【補正対象書類名】明細書
【補正対象項目名】００４１
【補正方法】変更
【補正の内容】
【００４１】
【発明の効果】
以上のように、本発明によれば、データをセクタに対応する大きさに分割し、分割されたデータの順序を、ブロックの範囲内で置換し、置換したデータを、記録媒体のセクタに順番に記録するようにしたので、簡単かつ確実に、オリジナルデータがコピー、または改ざんされることを防止することができる。


【手続補正１３】
【補正対象書類名】明細書
【補正対象項目名】００４２
【補正方法】変更
【補正の内容】
【００４２】
また、本発明によれば、記録媒体からデータを再生し、再生されたデータを、所定の数のセクタ毎に区分し、区分されたデータを、所定の順番に整列させるための情報に基づいて、セクタを単位として所定の順番に整列するようにしたので、簡単かつ確実に、データを再生することができる。